(57)【特許請求の範囲】
【請求項１】
１枚のシートを切断だけして形成したエプロンであって、身体の両肩から首回りを覆う上部シート部と、胸から腰を覆う前面シート部と、前面シート部の上端部の両側に設けられた腰紐部とを具備し、
前記上部シート部と前記前面シート部との間の左右方向両側に、略三角形形状に切り込まれた第１スリット部が形成され、
前記上部シート部には、中央部に開口又は切れ目からなる首通し部が形成され、左右両側に開口又は切れ目からなる腕通し部が形成され、前記腕通し部の上下方向中央の位置は前記首通し部の上下方向中央の位置とほぼ一致し、
前記腕通し部の左右方向の位置は前記第１スリット部の左右方向中央部側の位置より外側に位置し、
前記腰紐部の前記前面シート部との境界から伸びる付け根部の延設方向が、当該付け根部と前記首通し部とを結ぶ方向とほぼ一致する、ことを特徴とするエプロン。
【請求項２】
前記上部シート部の左右方向中央の上端部に第２スリット部を有すると共に、前記上部シート部の前記首通し部と左右方向の両側の位置のそれぞれの上端部に第３スリット部を有することを特徴とする請求項１記載のエプロン。
【請求項３】
前記首通し部が、左右方向に長い形状であり、前記腕通し部が上下方向に長い形状であることを特徴とする請求項１又は２記載のエプロン。
【請求項４】
前記腕通し部が上下方向に長い形状であり、下側ほど左右方向中央部に傾斜して設けられていることを特徴とする請求項１〜３の何れか一項記載のエプロン。
【請求項５】
前記首通し部は、下向きの三日月形状の両側に切り込みを有する形状であることを特徴とする請求項１〜４の何れか一項記載のエプロン。
【請求項６】
前記第１スリット部の下側の縁部が前記腰紐部の前記付け根部の上側の縁部と一致し、当該縁部を前記首通し部方向に延ばした方向は当該首通し部の左右方向端部にほぼ一致することを特徴とする請求項１〜５の何れか一項記載のエプロン。 
【発明の詳細な説明】
【技術分野】
【０００１】
本発明は、エプロンに関するものであり、特に、医療用の使い捨てエプロンに適したものである。
【背景技術】
【０００２】
医療用のエプロンとして特許文献１記載の使い捨てエプロンが知られている。医療用のエプロンは、緊急搬送された出血を伴う患者の処置、嘔吐物を伴うような患者の処置等の際に使用されるものであり、患者と医療従事者間、患者相互間で生じる感染の防止を目的としたものである。そのため、迅速な着用と脱ぎ棄てができることと、身体を十分に覆うことができる形状であることが必要となっている。
【０００３】
また、特許文献１記載の使い捨てエプロンは、胸から下の前面部を広く覆う「前掛け面」と当該「前掛け面」に筒状の袖部を融着した割烹着形状に形成されたものであり、頭部を挿通させる長円形の「首挿通用孔」が設けられたものであり、体の前面を広く覆うように形成されているが、一方において「首挿通用孔」が単なる長円形であるとともに、「首挿通用孔」の前縁部分が比較的前方よりの位置に設けられたものとなっているので、首部分に生じる隙間が大きく、出血や嘔吐物が侵入する可能性が高くなり、汚染されるリスクが増大するという問題がある。
【０００４】
そこで、特許文献２には、身体の前面部を覆う前面シートと、当該前面シートの上端縁から後方に向かって垂下する背面部を有し、前記上端縁より背面部側に首通し孔を設けたエプロンが提案されている。
【０００５】
しかしながら、特許文献２のエプロンは、合成樹脂シートを切断、折り曲げ、溶着して製造するので、製造コストがかかるという問題がある。
【０００６】
また、特許文献３には、防水性のシートを切断して製作したエプロンにおいて、上下方向中央部の左右にそれぞれ腰紐部を形成し、左右の腰紐部位置の下側の部分を前垂れ部にし、着用者が腰に左右の腰紐部を巻き付けて結ぶと、前垂れ部が着用者の前側に垂れ下って着用者の腹部と脚部前面を覆う構成にし、また、左右の腰紐部位置の直上の部分を胸当て部にし、胸当て部の上側の部分をケープ状部にし、ケープ状部に切抜孔又は切れ目によって首通し部と腕通し部を形成し、首通し部を左右方向中央位置に、腕通し部を左側位置と右側位置にそれぞれ配置し、着用者が首を首通し部に、左右の腕を左右の腕通し部に通すと、ケープ状部が着用者の左右の肩部と腕部に被さり、胸当て部が着用者の胸部を覆う構成にしているエプロンが提案されている。
【先行技術文献】
【特許文献】
【０００７】
【特許文献１】登録実用新案公報第３０６１７３４号公報
【特許文献２】特開２０１３−１７０３３０号公報
【特許文献３】登録実用新案公報第３１９０３５５号公報
【発明の概要】
【発明が解決しようとする課題】
【０００８】
特許文献３のエプロンは、ケープ状部に切抜孔又は切れ目によって首通し部と腕通し部を形成し、首通し部を左右方向中央位置に、腕通し部を左側位置と右側位置にそれぞれ配置し、着用者が首を首通し部に、左右の腕を左右の腕通し部に通すと、ケープ状部が着用者の左右の肩部と腕部に被さり、胸当て部が着用者の胸部を覆う構成にしているので、溶着を行うことなく、切断だけで製造できるが、平面上のシートを切断しただけで腕と体を覆うエプロンとしているので、胸の前でフィルムがたるんでフィットしない部分が存在してしまい、屈んで作業する際などに邪魔になり、また、腕の動きが阻害される感じが出や易いという問題がある。
【０００９】
本発明は、上記従来技術に鑑み、フィルムの切断だけで製造でき、たるみがなく体にフィットして着用でき、腕の動きも阻害されないエプロンを提供することを目的とする。
【課題を解決するための手段】
【００１０】
上記目的を達成する本発明の態様は、１枚のシートを切断して形成したエプロンであって、身体の両肩から首回りを覆う上部シート部と、胸から腰を覆う前面シート部と、前記前面シート部の上端部の両側に設けられた腰紐部とを具備し、前記上部シート部と前記前面シート部との間の左右方向両側に、略三角形形状に切り込まれた第１スリット部が形成され、前記上部シート部には、中央部に開口又は切れ目からなる首通し部が形成され、左右両側に開口又は切れ目からなる腕通し部が形成され、前記腕通し部の上下方向中央の位置は前記首通し部の上下方向中央の位置とほぼ一致し、前記腕通し部の左右方向の位置は前記第１スリット部の左右方向中央部側の位置より外側に位置し、前記腰紐部の前記前面シート部との境界から伸びる付け根部の延設方向が、当該付け根部と前記首通し部とを結ぶ方向とほぼ一致する、ことを特徴とするエプロンにある。
【００１１】
かかる態様のエプロンによれば、上部シート部と前面シート部との間の左右方向両側に、略三角形形状に切り込まれた第１スリット部が形成され、上部シート部に形成された腕通し部の上下方向中央の位置が首通し部の上下方向中央の位置とほぼ一致し、腰紐部の前面シート部との境界から伸びる付け根部の延設方向が、当該付け根部と前記首通し部とを結ぶ方向とほぼ一致するようにしたので、首と腕を通した際に、前面シート部の左右方向中央部が首で後ろ方向に引っ張られると共に左右方向両側が腰紐部により斜め下且つ後方向に引っ張られるので、肩前部及び胸の前部のシートのたるみがたすき掛け効果によりさばかれ、スマートなたるみのない着用姿となる。
【００１２】
ここで、前記上部シート部の左右方向中央の上端部に第２スリット部を有すると共に、前記上部シート部の前記首通し部と左右方向の両側の位置のそれぞれの上端部に第３スリット部を有することが好ましい。
【００１３】
これによれば、身体の後にたれるシートのばたつきが低減される。
【００１４】
前記首通し部が、左右方向に長い形状であり、前記腕通し部が上下方向に長い形状であることが好ましい。
【００１５】
これによれば、上述したたすき掛けの効果がより有効に発揮される。
【００１６】
また、前記腕通し部が上下方向に長い形状であり、下側ほど左右方向中央部に傾斜して設けられていることが好ましい。
【００１７】
これによれば、前記第３スリット部の効果と相俟って身体の後にたれるシートのばたつきがより効果的に低減される。
【００１８】
また、前記首通し部は、下向きの三日月形状の両側に切り込みを有する形状であることが好ましい。
【００１９】
これによれば、首の前に隙間ができにくく、また、上述したたすき掛け効果がより有効に発揮される。
【００２０】
また、前記第１スリットの下側の縁部が前記腰紐部の前記付け根部の上側の縁部と一致し、当該縁部を前記首通し部方向に延ばした方向は当該首通し部の左右方向端部にほぼ一致することが好ましい。
【００２１】
これによれば、上述したたすき掛け効果がより有効に発揮される。
【図面の簡単な説明】
【００２２】
【図１】本発明の実施形態に係るエプロンの平面図である。
【図２】実施例のエプロンの正面及び背面の着用姿を示す図である。
【図３】比較例１のエプロンの正面及び背面の着用姿を示す図である。
【図４】比較例２のエプロンの正面及び背面の着用姿を示す図である。
【図５】比較例３のエプロンの正面及び背面の着用姿を示す図である。
【図６】比較例４のエプロンの正面及び背面の着用姿を示す図である。
【図７】比較例５のエプロンの背面の着用姿実施例と比較する図である。
【発明を実施するための形態】
【００２３】
以下、本発明の実施形態を図面に基づき詳細に説明する。
【００２４】
図１は本発明の実施形態に係るエプロンの平面図である。
【００２５】
図１に示すように、本実施形態に係るエプロン１は、一例として一枚の合成樹脂製（例えば、ポリエチレン、ポリ塩化ビニル、不織布等）の薄肉シートによって形成されており、図示の形状に裁断（型抜き）することで形成したものである。この形成方法についてさらに説明すると、このエプロン１は、左右方向中央の線を中心にして左右対称な形状となっているので、まず前記合成樹脂製の薄肉シートをある位置を中心にして２つに折りたたみ、さらに同様の手順で薄肉シートを複数枚重ね、これらの薄肉シートを専用の打抜き型で型抜きして不要な部分を切り落とす。残った薄肉シートをそれぞれ１枚に展開することで、図１のような形状のエプロン１を一度に複数枚得ることができる。なお、必ずしも２つ折りにして打ち抜く必要はなく、その場合には、必ずしも左右対称の形状とする必要はないことはいうまでもない。
【００２６】
また、代表的なフィルム成形方法としては、インフレーション成形とＴダイ法の２種類があり、インフレーション成形では、押出機から押し出されたチューブがまだ軟らかいうちに、口金から吹き込んだ空気でふくらませ、薄いフィルム（薄肉シート）を作り、チューブに平行に切れ目が入るようカッターで切れ目を入れながら巻き取り、２つ折りのフィルムを形成し、２つ折りのフィルムを複数枚重ねて打ち抜く。また、Ｔダイ法では、直線状の隙間（ダイ）から押し出されたフィルム（薄肉シート）を巻き取りフィルムを形成し、フィルムを複数枚重ねてそのまま打ち抜くか、フィルムを折り畳み複数枚重ねて打ち抜く。
【００２７】
エプロン１は、上部シート部２と、前面シート部３と、前面シート部３の上端部の左右両側に設けられた腰紐部４とを具備し、上部シート部２と前面シート部３との間の左右両側には、略三角形形状に切り込まれた第１スリット部５が形成されている。
【００２８】
第１スリット部５は、上部シート部２の左右両側の下側縁部２ａと、前面シート部３の上端部に設けられた腰紐部４の付け根部４ａの上側縁部４ｂとによって画成されている。下側縁部２ａは左右方向外側から内側に向かい、内側ほど下に向かって傾斜し、一方、上側縁部４ｂは左右方向外側から内側に向かい、内側ほど上に向かって傾斜し、両者は第１スリット部５の内側で交わっており、これにより、第１スリット部５は三角形形状となる。
【００２９】
上部シート部２の上下方向及び左右方向のほぼ中央部には、首通し部６、首通し部６の左右方向両側には、腕通し部７が形成されている。
【００３０】
上部シート部２の形状は、首通し部６に首を通し、腕通し部７に上を通した際に、肩から上腕部を覆うものとなっている。
【００３１】
また、前面シート部３は、身体の前面から側面を覆う大きさで長さは膝程度までとなっているが、長さは特に限定されない。これら上部シート部２と前面シート部３により、半袖エプロン形状となっている。
【００３２】
何れにしても、前面シート部３は、首元から胸部、腹部、ひざ付近までを覆う広い面積を有したシート部であり、医療従事者と患者との直接的または間接的な接触を防止して相互間で発生する感染病（ウィルス感染や血液感染によるもの）を予防するものである。特に、救急患者の処置時に生じる嘔吐（または咳、くしゃみ）、汚物や、飛散する血液との接触を防止するために重要な役割を果たすものである。当該エプロン１は使い捨てとすることが好ましいが、やむを得ず再利用する場合には、洗浄・滅菌処理を行うことが必要となる。
【００３３】
ここで、首通し部６は、下向きの三日月形状の開口６ａと、この開口６ａの両側に連続する切り込み６ｂとからなり、全体として左右方向に長く、上下方向には細い形状となっている。このように首通し部６を上下方向にも大きな開口としないことにより、首を通した際に、特に首の前側に隙間が形成され難くなり、例えば、前屈みになった際にも首の前側が上部シート部２の三日月形状の開口６ａの下側の縁部２ａによって塞がれることになる。また、開口６ａの左右方向両側に切り込み６ｂを設けたことにより、上述した効果が十分に発揮されるが、首が通し難いという不都合もない、という効果が発揮される。
【００３４】
一方、腕通し部７は、上下方向に伸びる切り込み７ａで形成されている。また、切り込み７ａの両端には、小さな円形の開口７ｂが形成され、腕通し部７に腕を通した際に切り込み７ａの端部からシートが裂けるのを防止している。
【００３５】
また、腕通し部７は、第１スリット部５の上方となる。すなわち、第１スリット部５は、内側の端部が腕通し部７と首通し部６との間に位置するように形成されている。
【００３６】
ここで、首通し部６の上下方向の中央の位置と、腕通し部７の上下方向中央の位置とは、上下方向でほぼ一致するように形成している。すなわち、通常であれば、首通し部６は、腕通し部７の位置より上方向にずれた位置に設けられるが、本実施形態ではほぼ一致する位置に設けている。これにより、首通し部６に首を通し、腕通し部７に腕を通した際に、上部シート部２の中央部が首の後ろ方向、すなわち、図１の上方向に引っ張られるようになる。これにより、詳細は後述するが、腰紐部４との形状と相俟って、後述する「たすき掛け効果」が発揮される。
【００３７】
また、上部シート部２の上端縁には、左右方向中央部には第２スリット部８、第２スリット部８の左右方向両側には、第３スリット部９が設けられている。第３スリット部９の左右方向の位置は、首通し部６と腕通し部７との間となる。
【００３８】
なお、上部シート部２の首通し部６と第２スリット部８の間に、上部シート部２の破断を容易にするため、第２スリット部８と開口６ａとの間に破線の切り込み１０が設けられている。エプロン１の着用後、エプロン１を脱ぐときに、切り込み１０のところで上部シート部２が破断しやすくなり、首通し部６が壊れやすくなる。これによりエプロン１を脱ぎやすくなる。なお、切り込み１０は設けなくともよい。
【００３９】
腰紐部４は、上述した通り、前面シート部３の上端部の左右方向両側から延設されており、腰紐部４の前面シート部３側の端部である付け根部４ａと本体部４ｃとからなる。付け根部４ａは、斜め下方向に伸び、本体部４ｃは真っ直ぐ下方に伸びている。
【００４０】
ここで、付け根部４ａが斜め下方向に伸びており、延設方向を逆方向に延ばすと首通し部６に到達するようになっている。このような方向に付け根部４ａを延設しているので、首通し部６に首を通し、腕通し部７に腕を通した状態で、腰紐部４を腰に巻いて引っ張ると、首により上部シート部２の中央部が後ろ方向に引っ張られた状態で腰紐部４により上部シート部２の中央部と前面シート部３の上部中央部、すなわち、胸回りが斜め下方向に引っ張られ、これがたすき掛け効果となり、胸まわりのシートのたるみが引っ張られて脇の下などに収容され、たるみのないスマートな着姿となる。
【００４１】
このたすき掛け効果は、首通し部６の腕通し部７との位置関係と、腰紐部４の付け根部４ａの延設方向によって発揮されるが、また、付け根部４ａの上下方向の位置も大きく影響を与えている。すなわち、腰紐部４の付け根部４ａは、前面シート部３の上端部、第１スリット部５の直下に設けられているが、これは前面シート部３の胸周りの両側の位置となり、通常の腰回りの位置よりかなり上方に位置する。これにより、上述したたすき掛け効果はさらに有効に機能するようになっている。すなわち、エプロン１を装着して腰紐部４を後ろに回すと、腰紐部４は脇の下から腰の後ろ側に延びるようになり、たすき掛け効果が発揮されて、胸回りのたるんだシートが腰紐部４に引っ張られて脇の下に収容されてスマートな着衣姿となる。
【００４２】
ここで、腰紐部４の取り付け位置と、付け根部４ａの延設方向は、付け根部４ａの上側縁部４ｂの縁設方向を首通し部６方向に延長した際に、首通し部６の腰紐部４の端部から開口６ａの端部に向かうのが好ましい。このような構成とすることにより、より有効にたすき掛け効果が発揮される。
【００４３】
なお、腰紐部４の本体部４ｃは、付け根部４ａの延設方向とは異なり、図１の下方に伸びているが、これはたすき掛け効果に大きな影響を与えない。腰紐部４が上部シート部２や前面シート部３を引っ張る方向は、付け根部４ａの上下方向の位置と延設方向によって決まり、本体部４ｃの延設方向は大きな影響を与えない。本体部４ｃは付け根部４ａの延設方向にそのまま延ばしてもよいが、材料費を考慮すると、前面シート部３の側縁に沿って下方に延設する形状とするのが好ましい。
【００４４】
また、上部シート部２の上端部（着用した際には背側の下端部）に設けられた第２スリット部８及び第３スリット部９、特に第３スリット部９は、エプロン１を着用した際の上部シート部２の後ろ側の端部の「バタツキ」を防止している。すなわち、エプロン１を着用した際に上部シート部２の背側端部及び肩の先の左右端部が体に沿って下方に垂れ下がり、「バタツキ」が防止される。
【００４５】
第３スリット部９の位置は、標準的な肩の位置に設けるのが好ましい。具体的には、第３スリット部９の内側縁部２ｃは肩幅の位置で着用した際の上下方向に延びるようにするのが好ましい。
【００４６】
かかる「バタツキ」防止効果は、さらに、上述した腕通し部７の傾斜によってもさらに有効に発揮される。すなわち、腕通し部７を、図１において上側ほど（着用した際に背側ほど）外側になるように若干傾斜させることで、第３スリット部９の効果をさらに有効に発揮させ、上部シート部２のバタツキをさらに有効に防止している。
【実施例】
【００４７】
（実施例）
図１の形状のエプロン１を製造し、女性人体寸法ダミーに装着し、その正面写真及び背面写真を撮影した。結果を図２（ａ）、（ｂ）に示す。
【００４８】
エプロン１の首通し部６に首を通し、腕通し部７に腕を通した状態で、腰紐部４を腰に巻いて引っ張ると、腰紐部４が前面シート部３の上端部、胸部の両側に設けられており且つ斜め下方向に縁設されているので、首により上部シート部２の中央部が後ろ方向に引っ張られた状態で腰紐部４により上部シート部２の中央部と前面シート部３の上部中央部、すなわち、胸回りが斜め下方向に、脇の下から背中側に引っ張られるので（図２（ａ）のＡ及び図２（ｂ）のＢ）、これがたすき掛け効果となり、図２（ａ）、（ｂ）に示すように、胸回りのシートのたるみが引っ張られて脇の下などに収容され、たるみのないスマートな着衣姿となる。また、お腹及び腰回りの前側もすっきりとしわのない状態となっている。
【００４９】
さらに、図２（ｂ）に示すように、上部シート部２の背側及び左右端部が体に沿ってきれいに垂れ下がり、バタツキが防止される（図２（ｂ）のＣ）。
【００５０】
（比較例１）
図３（ａ）に示すように、腰紐部１４の付け根部１４ａの縁設方向を一般的にみられるように水平にした以外は図１と同じ形状したエプロン１１を製造し、女性人体寸法ダミーに装着し、その正面写真及び背面写真を撮影した。結果を図３（ｂ）、（ｃ）に示す。
【００５１】
エプロン１１を装着し、腰紐部１４を腰に巻いて引っ張ると、腰紐部４が前面シート部１３の上端部、胸部の両側に設けられているが水平方向に延設されているので、上部シート部１２及び前面シート部１３の中央部が実施例ほど下方引っ張られた状態にならず、胸回りがだぶついた感じとなり（図３（ｂ）のＤ）、腰回りの前部にしわが発生し、嘔吐物等が溜まってしまう虞がある（図３（ｂ）のＥ）。
【００５２】
（比較例２）
図４（ａ）に示すように、腰紐部２４の付け根部２４ａの延設方向を一般的にみられるように斜め上方向にした以外は図１と同じ形状したエプロン２１を製造し、女性人体寸法ダミーに装着し、その正面写真及び背面写真を撮影した。結果を図４（ｂ）、（ｃ）に示す。
【００５３】
エプロン２１を装着し、腰紐部２４を腰に巻いて引っ張ると、腰紐部２４が前面シート部２３の上端部、胸部の両側に設けられているが水平方向に延設されているので、上部シート部２２及び前面シート部２３の中央部が実施例ほど引っ張られた状態にならず、胸回りがだぶついた感じとなる（図４（ｂ）のＦ）。
【００５４】
（比較例３）
図５（ａ）に示すように、図１の構成から、上部シート部３２の首通し部３６をそのままとして腕通し部３７のみを下方（着用した際の前側）に移動した以外は図１と同じ形状したエプロン３１を製造し、女性人体寸法ダミーに装着し、その正面写真及び背面写真を撮影した。結果を図５（ｂ）、（ｃ）に示す。
【００５５】
エプロン３１を装着し、腰紐部３４を腰に巻いて引っ張ると、腰紐部３４が前面シート部３３の上端部に且つ斜め下方向に延設されているが、腕通し部３７が首通し部３６より前側に設けられているので、上部シート部３２及び前面シート部３３の中央部が実施例ほど引っ張られた状態にならず、胸回りがだぶついた感じとなり（図５（ｂ）のＧ）、腰の回りの後ろ側にもだぶつきが発生する（図５（ｃ）のＨ）。
【００５６】
また、腕通し部３７が首通し部３６より前側に設けられているので、上部シート部３２にバタツキが発生する（図５（ｃ）のＩ）。
【００５７】
（比較例４）
図６（ａ）に示すように、図１の構成から、上部シート部４２の首通し部４６をそのままとして腕通し部４７のみを下方（着用した際の前側）に移動し、また、図１の第１スリット４５を小さくして三角形形状ではなくした以外は図１と同じ形状したエプロン４１を製造し、女性人体寸法ダミーに装着し、その正面写真及び背面写真を撮影した。結果を図６（ｂ）、（ｃ）に示す。
【００５８】
エプロン４１を装着し、腰紐部４４を腰に巻いて引っ張っても、腰紐部４４が前面シート部４３の上端部に且つ斜め下方向に延設されているが腕通し部４７に近いので、たすき効果が発揮されず、上部シート部４２及び前面シート部４３に張りが生じない（図６（ｂ）のＪ）。
【００５９】
また、腕通し部４７が前側に位置し、腰紐部４４が腕通し部４７に近いので、上部シート部４２の上腕部にバタツキが多い状態となっている（図６（ｃ）のＫ）。
【００６０】
（比較例５）
図７には、図１の右側（着用した際の左側）の第３スリット部９を設けない以外は図１の形状のエプロンを製造し、女性人体寸法ダミーに装着した背面写真を撮影した。結果を示す。
【００６１】
図７に示すように、第３スリット部９を設けない左側では上部シート部２の左側端部が垂れ下がらず、バタツキが生じているが、右側では第３スリット部９の効果により、上部シート部２の端部が肩に沿って垂れ下がり、バタツキが生じない状態となっており、第３スリット部９の効果は明らかである。
【産業上の利用可能性】
【００６２】
本発明は、救急医療を行う場合や、介護を行う際に着用する使い捨てのエプロンに利用可能である。
【符号の説明】
【００６３】
１    エプロン
２    上部シート部
３    前面シート部
４    腰紐部
４ａ  付け根部
４ｂ  縁部
４ｃ  本体部
５    第１スリット部
６    首通し部
６ａ  開口
６ｂ  切り込み
７    腕通し部
８    第２スリット部
９    第３スリット部
【図１】
0006574623.tif 000002
【図２】
0006574623.tif 000003
【図３】
0006574623.tif 000004
【図４】
0006574623.tif 000005
【図５】
0006574623.tif 000006
【図６】
0006574623.tif 000007
【図７】
0006574623.tif 000008